(57)【要約】【課題】  配信する広告の効果の向上を図ると共に、広告効果に応じた広告料金の課金方法の提供、さらには、広告の閲覧による商品の購入実績を容易に把握すること。【解決手段】  ユーザの携帯端末１と通信可能であり電子決済を行う電子決済装置２と、所定の広告情報を記憶した広告記憶装置３と、を備え、電子決済装置２が、携帯端末１との電子決済に伴う通信時に、広告記憶装置３から広告情報を取得して携帯端末１に配信する広告配信手段２２を備えた。【選択図】図１
2007041663.tif 000002
【特許請求の範囲】
【請求項１】
ユーザの携帯端末と通信可能であり電子決済を行う電子決済装置と、所定の広告情報を記憶した広告記憶装置と、を備え、
前記電子決済装置が、前記携帯端末との電子決済に伴う通信時に、前記広告記憶装置から前記広告情報を取得して前記携帯端末に配信する広告配信手段を備えた、
ことを特徴とする広告配信システム。
【請求項２】
前記広告配信手段は、前記携帯端末に電子決済情報と共に前記広告情報を配信する機能を有する、
ことを特徴とする請求項１記載の広告配信システム。
【請求項３】
前記広告情報は、前記携帯端末に表示可能な情報である、ことを特徴とする請求項１又は２記載の広告配信システム。
【請求項４】
前記広告情報は、前記携帯端末上にて選択されることにより当該携帯端末にて所定のウェブサイトにアクセス可能なリンク情報を含む、ことを特徴とする請求項３記載の広告配信システム。
【請求項５】
前記広告情報は、前記電子決済装置にて広告情報の配信を行った店舗を表す配信元情報を含む、ことを特徴とする請求項４記載の広告配信システム。
【請求項６】
前記広告情報に含まれた前記配信元情報は、前記リンク情報に基づいて前記携帯端末にてアクセスされた前記ウェブサイトに当該携帯端末から通知される情報である、ことを特徴とする請求項５記載の広告配信システム。
【請求項７】
前記携帯端末にてアクセスされる前記ウェブサイトを管理するウェブサーバを備え、
このウェブサーバは、前記配信元情報に対応する店舗を特定する店舗特定データベースを記憶すると共に、この記憶された店舗特定データベースと前記通知された配信元情報とに基づいて前記電子決済装置にて前記広告情報の配信を行った店舗を判別する店舗判別手段を備えた、
ことを特徴とする請求項６記載の広告配信システム。
【請求項８】
前記ウェブサーバは、前記店舗判別手段にて判別された店舗に対して支払うべき広告配信料を当該店舗ごとに集計する広告料集計手段を備えた、
ことを特徴とする請求項７記載の広告配信システム。
【請求項９】
前記ウェブサーバは、各店舗に対応して当該店舗にて所定の特典を受けられるクーポン情報を記憶すると共に、前記店舗判別手段にて判別された店舗の前記クーポン情報を読み出して、このクーポン情報をアクセスしてきた前記携帯端末に送信するクーポン配信手段を備えた、
ことを特徴とする請求項７又は８記載の広告配信システム。
【請求項１０】
前記ウェブサーバは、前記ウェブサイト上にて商品購入注文を受け付ける注文受付手段を有すると共に、
この注文受付手段は、前記携帯端末から前記広告情報を介してアクセスされたときに注文情報と共に前記広告情報に含まれた前記配信元情報を受け付けて、ネットワークを介して注文管理サーバに通知する、
ことを特徴とする請求項７，８又は９記載の広告配信システム。
【請求項１１】
前記注文情報を受け付ける注文管理サーバを備え、
この注文管理サーバは、前記受け付けた注文情報と配信元情報に基づいて注文内容と前記電子決済装置にて広告配信を行った店舗とを分析する注文分析手段を備えた、
ことを特徴とする請求項１０記載の広告配信システム。
【請求項１２】
請求項９記載の前記ウェブサーバが有する前記クーポン配信手段は、前記商品購入注文を受け付けた店舗を特定する情報を前記クーポン情報に含めて前記携帯端末に配信する、
ことを特徴とする請求項１０又は１１記載の広告配信システム。
【請求項１３】
ユーザの携帯端末と通信可能であり電子決済を行う電子決済装置であって、
前記携帯端末との電子決済に伴う通信時に、所定の広告情報を記憶した広告記憶装置から前記広告情報を取得して前記携帯端末に配信する広告配信手段を備えた、
ことを特徴とする電子決済装置。
【請求項１４】
ユーザの携帯端末にてアクセスされるウェブサイトを管理するウェブサーバであって、
前記携帯端末と電子決済を行う電子決済装置から前記携帯端末に配信された広告情報に基づいて当該携帯端末からのアクセスを受け付けると共に、当該アクセス時に前記広告情報に含まれる当該広告情報を前記電子決済装置にて配信した店舗を表す配信元情報を受け付けるアクセス受付手段と、
前記配信元情報に対応する店舗を特定する店舗特定データベースを記憶する店舗特定情報記憶手段と、
この記憶された店舗特定データベースと前記受け付けた配信元情報とに基づいて前記広告情報を前記電子決済装置にて配信した店舗を判別する配信元店舗判別手段と、
を備えたことを特徴とするウェブサーバ。
【請求項１５】
前記配信元店舗判別手段にて判別された店舗に対して支払うべき広告配信料を当該店舗ごとに集計する広告料集計手段を備えた、
ことを特徴とする請求項１４記載のウェブサーバ。
【請求項１６】
ユーザの携帯端末と通信可能であり電子決済を行う電子決済装置を用いて、前記携帯端末に広告を配信する方法であって、
前記電子決済装置が、前記携帯端末との電子決済に伴う通信時に、所定の広告情報を記憶した広告記憶装置から前記広告情報を読み出して、当該広告情報を前記携帯端末に配信する、
ことを特徴とする広告配信方法。
【請求項１７】
前記電子決済装置が、前記携帯端末に電子決済情報と共に前記広告情報を配信する、
ことを特徴とする請求項１６記載の広告配信方法。
【請求項１８】
前記携帯端末が、前記広告情報に含まれるリンク情報に基づいて所定のウェブサイトにアクセスする際に、前記広告情報に含まれる当該広告情報を前記電子決済装置にて配信した店舗を表す配信元情報を前記ウェブサイトに通知する、ことを特徴とする請求項１６又は１７記載の広告配信方法。
【請求項１９】
前記ウェブサイトを管理するウェブサーバが、予め記憶された前記配信元情報に対応する店舗を特定する店舗特定データベースと、前記携帯端末から通知された配信元情報とに基づいて、当該配信元情報が含まれた前記広告情報の配信を前記電子決済装置にて行った店舗を判別する、
ことを特徴とする請求項１８記載の広告配信方法。
【請求項２０】
前記ウェブサーバが、判別された店舗に対して支払うべき広告配信料を当該店舗ごとに集計して蓄積する、
ことを特徴とする請求項１９記載の広告配信方法。
【請求項２１】
ユーザの携帯端末と通信可能であり電子決済を行う電子決済装置に、
前記携帯端末との電子決済に伴う通信時に、所定の広告情報を記憶した広告記憶装置から前記広告情報を読み出して前記携帯端末に配信する広告配信手段、を実現するためのプログラム。
【請求項２２】
ユーザの携帯端末にてアクセスされるウェブサイトを管理するウェブサーバに、
前記携帯端末と電子決済を行う電子決済装置から前記携帯端末に配信された広告情報に基づいて当該携帯端末からのアクセスを受け付けると共に、当該アクセス時に前記広告情報に含まれる当該広告情報の配信を前記電子決済装置にて行った店舗を表す配信元情報を受け付けるアクセス受付手段と、
前記配信元情報に対応する店舗を特定する店舗特定データベースを記憶する店舗特定情報記憶手段と前記受け付けた配信元情報とに基づいて前記広告情報の配信を前記電子決済装置にて行った店舗を判別する配信元店舗判別手段と、
を実現するためのプログラム。
【請求項２３】
前記ウェブサーバに、
前記配信元店舗判別手段にて判別された店舗に対して支払うべき広告配信料を当該店舗ごとに集計する広告料集計手段、を実現するための請求項２２記載のプログラム。
【発明の詳細な説明】
【技術分野】
【０００１】
本発明は、広告配信システムにかかり、特に、電子決済機能を有する携帯端末に広告を配信するシステムに関する。また、その方法並びに広告配信用プログラムに関する。
【背景技術】
【０００２】
近年、インターネットが普及し、インターネット上では様々な種類の電子広告が存在している。このような広告は、通常、インターネット接続環境が整っているパーソナル・コンピュータ（ＰＣ）などに対して表示される。例えば、ユーザが様々なＷｅｂページを閲覧している最中にＷｅｂページに表示されているバナー広告からアクセスされ、該当する広告主のウェブサイトへとリンクすることによってブラウザ上に表示される。そして、ユーザが閲覧する場所としては、自宅や職場などの屋内施設内に限られる場合が多い。
【０００３】
一方で、携帯電話も急速に普及し、その機能も拡大しつつある。ユーザは、パーソナル・コンピュータ（ＰＣ）よりも持ち運びが簡単な携帯電話を身近に備える機会が増え、通話機能だけに限らず、電子メールやインターネット機能も利用することができ、その利用場面は時と場所を選ばない。そして、携帯電話の持ち運びやすさ、利用しやすさ、などから、上述したインターネット上の電子広告も、携帯電話によるウェブサイト閲覧時に配信され、利用されている。
【０００４】
【特許文献１】特開２００４−３４８５３１号公報
【発明の開示】
【発明が解決しようとする課題】
【０００５】
しかしながら、インターネットを利用するユーザの多くは、バナー広告先にアクセスすることは少なく、ユーザの目的とするウェブサイトの閲覧が主な利用態様となっている。これに対し、広告料金はその効果に応じた料金を徴収するのが望ましいにも関わらず、掲載期間別に定められた料金や掲載広告の閲覧回数に応じた料金により課金されていることが多い。また、広告主は、広告料金を支払って広告を掲載しても、その広告が直接ユーザの購買意欲を促進し、オンライン・ショッピングシステムにおいて、商品の購入行為に結びついたかどうかを知る手段がない。
【０００６】
さらに、多くのユーザに広告を見せるためには、多くのウェブサイトに広告を掲載する必要があるものの、どのようなウェブサイトが、掲載する広告に対して多くのユーザに興味を持ってもらえるかどうかを判断することは難しい。従って、投資する多額な広告料金に対し、その効果を得ることが困難である、という問題が生じる。そして、特に、店舗でのみサービスや商品の提供ができる飲食店等においては、ユーザが実際に店舗に出向くことによって、初めて商品が提供されるものであるため、このような店舗でのみ販売される商品をウェブサイトに広告したとしても、ユーザが店舗に出向くまでの興味を引く広告を提供するまでには至らない場合が多く、投資される広告料金に対し、その効果を得ることは少ない。
【０００７】
例えば、特許文献１には、ユーザの携帯電話に店舗毎の広告やクーポンを配信するシステムが開示されている。この文献では、クーポンが使用された際には、そのクーポンの配信元店舗を特定し、一定の利益還元を行う手法が開示されている。しかし、所定の店舗内で無線通信エリア内に存在する携帯電話に配信されるクーポンや広告などは、無作為に配信されるものであるため、上述同様に、ユーザの注意を引くことが困難である。従って、かかる手法で広告を配信したとしても、その効果の向上は難しい。
【０００８】
このため、本発明は、上記従来例の有する不都合を改善し、特に、配信する広告の効果の向上を図ると共に、広告効果に応じた広告料金の課金方法、および広告の閲覧による商品の購入実績の把握と、オンライン・ショッピングシステムを持たない店舗に顧客ユーザを来店させる可能性を向上することができる方法を提供すること、をその目的とする。
【課題を解決するための手段】
【０００９】
そこで、本発明の一形態である広告配信システムは、
ユーザの携帯端末と通信可能であり電子決済を行う電子決済装置と、所定の広告情報を記憶した広告記憶装置と、を備え、
電子決済装置が、携帯端末との電子決済に伴う通信時に、広告記憶装置から広告情報を取得して携帯端末に配信する広告配信手段を備えた、
ことを特徴としている。
【００１０】
このとき、広告配信手段は、携帯端末に電子決済情報と共に広告情報を配信する機能を有する、ことを特徴としている。さらに、広告情報は、携帯端末に表示可能な情報である、ことを特徴としている。
【００１１】
上記発明によると、ユーザが店舗にて携帯端末を用いて電子決済を行うと、店舗に設置された電子決済装置から広告記憶装置に蓄積された広告情報が配信される。このように、ユーザによる携帯端末を用いた決済時あるいはその直前直後に広告情報が配信されることから、電子決済情報を携帯端末にて確認するユーザによって、広告情報が閲覧される確率が高まる。特に、電子決済情報とともに広告情報を同時に送信することにより、配信された広告による宣伝効果の向上を図ることができる。
【００１２】
また、広告情報は、携帯端末上にて選択されることにより当該携帯端末にて所定のウェブサイトにアクセス可能なリンク情報を含む、ことを特徴としている。これにより、配信された広告情報を選択することで、携帯端末にて広告主のウェブサイトにアクセスすることができ、ユーザの利便性の向上を図ることができると共に、広告主の広告宣伝効果の向上を図ることができる。
【００１３】
また、広告情報は、電子決済装置にて広告情報の配信を行った店舗を表す配信元情報を含む、ことを特徴としている。そして、広告情報に含まれた配信元情報は、リンク情報に基づいて携帯端末にてアクセスされたウェブサイトに当該携帯端末から通知される情報である、ことを特徴としている。これに伴い、携帯端末にてアクセスされるウェブサイトを管理するウェブサーバを備え、このウェブサーバは、配信元情報に対応する店舗を特定する店舗特定データベースを記憶すると共に、この記憶された店舗特定データベースと通知された配信元情報とに基づいて電子決済装置にて広告情報の配信を行った店舗を判別する店舗判別手段を備えた、ことを特徴としている。そして、ウェブサーバは、店舗判別手段にて判別された店舗に対して支払うべき広告配信料を当該店舗ごとに集計する広告料集計手段を備えた、ことを特徴としている。さらに、ウェブサーバは、各店舗に対応して当該店舗にて所定の特典を受けられるクーポン情報を記憶すると共に、店舗判別手段にて判別された店舗のクーポン情報を読み出して、このクーポン情報をアクセスしてきた携帯端末に送信するクーポン配信手段を備えた、ことを特徴としている。
【００１４】
これにより、ウェブサイトにアクセスする根拠となった広告が配信された配信元である店舗を、容易に判別することができる。特に、配信元情報がアクセス先となるウェブサイトに通知されることで、広告主がその広告情報の配信された店舗を認識することができる。そして、広告効果に応じて広告主が支払うべき広告料を算出することができ、効果に見合った適切な広告料金を設定することができる。また、広告配信元店舗のクーポン情報が携帯端末に配信されるため、ユーザによってかかる店舗の利用が促進される。
【００１５】
また、ウェブサーバは、ウェブサイト上にて商品購入注文を受け付ける注文受付手段を有すると共に、この注文受付手段は、携帯端末から広告情報を介してアクセスされたときに注文情報と共に広告情報に含まれた配信元情報を受け付けて、ネットワークを介して注文管理サーバに通知する、ことを特徴としている。また、これに伴い、上記注文管理サーバを備え、この注文管理サーバは、受け付けた注文情報と配信元情報に基づいて注文内容と電子決済装置にて広告配信を行った店舗とを分析する注文分析手段を備えた、ことを特徴としている。さらに、上述したウェブサーバが有するクーポン配信手段は、商品購入注文を受け付けた店舗を特定する情報をクーポン情報に含めて携帯端末に配信する、ことを特徴としている。
【００１６】
これにより、広告情報を参照してアクセスしてきたユーザによるオンラインショッピング時に、広告がいかなる店舗によって配信されたものであるかを判別することができ、その広告宣伝効果を分析することができる。
【００１７】
また、本発明は、ユーザの携帯端末と通信可能であり電子決済を行う電子決済装置であって、携帯端末との電子決済に伴う通信時に、所定の広告情報を記憶した広告記憶装置から広告情報を取得して携帯端末に配信する広告配信手段を備えた、ことを特徴としている。
【００１８】
また、本発明は、ユーザの携帯端末にてアクセスされるウェブサイトを管理するウェブサーバであって、
携帯端末と電子決済を行う電子決済装置から携帯端末に配信された広告情報に基づいて当該携帯端末からのアクセスを受け付けると共に、当該アクセス時に広告情報に含まれる当該広告情報を電子決済装置にて配信した店舗を表す配信元情報を受け付けるアクセス受付手段と、
配信元情報に対応する店舗を特定する店舗特定データベースを記憶する店舗特定情報記憶手段と、
この記憶された店舗特定データベースと受け付けた配信元情報とに基づいて前記広告情報を電子決済装置にて配信した店舗を判別する配信元店舗判別手段と、
を備えたことを特徴としている。
【００１９】
そして、上記ウェブサーバ。配信元店舗判別手段にて判別された店舗に対して支払うべき広告配信料を当該店舗ごとに集計する広告料集計手段を備えた、ことを特徴としている。
【００２０】
また、本発明の他の形態である広告配信方法は、ユーザの携帯端末と通信可能であり電子決済を行う電子決済装置を用いて、携帯端末に広告を配信する方法であって、電子決済装置が、携帯端末との電子決済に伴う通信時に、所定の広告情報を記憶した広告記憶装置から広告情報を読み出して、当該広告情報を前記携帯端末に配信する、ことを特徴としている。そして、電子決済装置が、携帯端末に電子決済情報と共に前記広告情報を配信する、ことを特徴としている。
【００２１】
また、携帯端末が、広告情報に含まれるリンク情報に基づいて所定のウェブサイトにアクセスする際に、広告情報に含まれる当該広告情報を電子決済装置にて配信した店舗を表す配信元情報を前記ウェブサイトに通知する、ことを特徴としている。
【００２２】
また、ウェブサイトを管理するウェブサーバが、予め記憶された配信元情報に対応する店舗を特定する店舗特定データベースと、携帯端末から通知された配信元情報とに基づいて、当該配信元情報が含まれた広告情報の配信を電子決済装置にて行った店舗を判別する、ことを特徴としている。また、ウェブサーバが、判別された店舗に対して支払うべき広告配信料を当該店舗ごとに集計して蓄積する、ことを特徴としている。
【００２３】
さらに、本発明の他の形態であるプログラムは、ユーザの携帯端末と通信可能であり電子決済を行う電子決済装置に、携帯端末との電子決済に伴う通信時に、所定の広告情報を記憶した広告記憶装置から広告情報を読み出して前記携帯端末に配信する広告配信手段、を実現する、ことを特徴としている。
【００２４】
また、プログラムの他の形態は、
ユーザの携帯端末にてアクセスされるウェブサイトを管理するウェブサーバに、
携帯端末と電子決済を行う電子決済装置から携帯端末に配信された広告情報に基づいて当該携帯端末からのアクセスを受け付けると共に、当該アクセス時に広告情報に含まれる当該広告情報の配信を電子決済装置にて行った店舗を表す配信元情報を受け付けるアクセス受付手段と、
配信元情報に対応する店舗を特定する店舗特定データベースを記憶する店舗特定情報記憶手段と受け付けた配信元情報とに基づいて広告情報の配信を電子決済装置にて行った店舗を判別する配信元店舗判別手段と、
を実現する、ことを特徴としている。
【００２５】
さらに、上記プログラムは、ウェブサーバに、配信元店舗判別手段にて判別された店舗に対して支払うべき広告配信料を当該店舗ごとに集計する広告料集計手段、を実現する、ことを特徴としている。
【００２６】
上記構成の方法やプログラムであっても、上述した広告配信システムと同様の作用、効果を有し、上記本発明の目的である広告効果の向上を実現することができる。
【発明の効果】
【００２７】
本発明は、以上のように構成され機能するので、これによると、ユーザによる携帯端末を用いた決済時あるいはその直前直後に広告情報が配信されることから、電子決済情報を携帯端末にて確認するユーザによって、広告情報が閲覧される確率が高まり、これにより、配信された広告による宣伝効果の向上を図ることができる、という従来にない優れた効果を有する。
【発明を実施するための最良の形態】
【００２８】
本発明は、電子決済機能を有する携帯端末に対して、電子決済時に広告を配信することに特徴を有する。以下、実施例にて具体的な構成及び動作について説明する。なお、実施例では、携帯端末の一例として携帯電話を挙げて説明するが、電子決済機能を有するノートパソコンやＰＤＡなどの他の携帯型情報処理端末であってもよい。
【実施例１】
【００２９】
本発明の第１の実施例を、図１乃至図１２を参照して説明する。図１乃至図２は、本発明の全体構成を示す図である。図３乃至図６は、各装置の構成を示す機能ブロック図である。図７乃至図１２は、動作を示す説明図である。
【００３０】
［構成］
本発明の広告配信システムは、図１に示すように、ユーザが所有する携帯電話１と、店舗に設置されたＰＯＳ端末２と広告配信サーバ３と、を備えている。また、この広告配信サーバ３にネットワークＮを介して接続されたＩＳＰ（インターネットサービスプロバイダ）事業者が管理するウェブサーバ４と、販売事業者が管理する商品注文管理サーバ５と、を備えている。なお、図２は、広告配信システムにて、各装置が記憶しているデータを説明するための図である。
【００３１】
＜携帯電話＞
携帯電話１（携帯端末）は、一般ユーザが所有する携帯電話である。図３を参照して、携帯電話１の構成について詳述する。
【００３２】
図３に示すように、携帯電話１は、ＣＰＵなどの制御装置１Ａと、メモリなどの記憶装置１Ｂと、赤外線通信装置やＢｌｕｅｔｏｏｔｈなどの近距離通信装置１Ｃと、携帯電話基地局１１と通信を行う遠距離通信装置１Ｄと、テンキーなどの操作部１Ｅと、ディスプレイなどの表示部１Ｆと、を備えている。なお、上記構成は、近年では一般的な携帯電話１が備えている。
【００３３】
そして、制御装置１Ａには、所定のプログラムが組み込まれることにより、電子決済処理部１１と、広告取得処理部１２と、表示処理部１３と、クーポン取得処理部１４と、が構築されている。なお、制御装置１Ａには、他にも一般的な携帯電話が備える各処理部を有している。例えば、この携帯電話１は、携帯電話基地局１１を介して、通信ネットワークＮを利用することにより、通話はもちろんのこと、販売業者が開設するウェブサイト（ウェブサーバ４）や他のウェブサイトにアクセスして、各サイト内の情報を閲覧する機能、つまり、インターネットを利用する機能を有している。
【００３４】
電子決済処理部１１は、携帯電話１にて電子マネーによる支払いを実現するための機能である。つまり、予め記憶装置１Ｂに蓄積されている、あるいは、ネットワークＮ上の所定の記憶装置に蓄積されているユーザが所有する電子貨幣データを、携帯電話１から店舗に設置された店舗装置２０に送信することにより、ユーザが利用した費用を電子決算することが可能となる。このとき、近距離通信装置１Ｃは、赤外線通信などで店舗装置２０を構成するＰＯＳ端末２に接続されたリーダライタ２Ａに対して、電子貨幣データを送信する。また、電子決済処理部１１は、ＰＯＳ端末２のリーダライタ２Ａから送信される電子決済の詳細（電子決済結果など）や電子マネーの残高などの電子決済情報を、近距離通信装置１Ｃを介して受信する。
【００３５】
広告取得処理部１２は、上記電子決済処理部１１と協働して、電子決済情報と共にＰＯＳ端末２から送信される広告情報（以下では、「簡易広告データ」とも呼ぶ（図２参照））を取得し、表示処理部１３に受け渡したり、記憶装置１Ｂ内の広告記憶部１５に格納する。なお、取得する広告情報は、ディスプレイ１Ｆ（表示部）に表示可能な情報であって、表示して選択することによって広告主が宣伝するウェブサイトにアクセスできるよう、そのサイトのＵＲＬといったリンク情報を含んでいる。また、広告情報には、後述するように、当該広告情報を配信した店舗を特定する情報である店舗ＩＤ（配信元情報）も含んでいる。なお、広告情報は、音声情報など他の形式の情報であってもよい。
【００３６】
表示処理部１３は、上述した電子決済処理部１１にて処理された電子決済情報や、広告取得処理部１２にて取得された広告情報を、表示部１Ｆであるディスプレイに表示する。また、表示処理部１３は、携帯電話１によるインターネット利用時にて閲覧したウェブサイトの情報を表示する機能も有する。従って、上述のようにして電子決済時に取得した簡易広告データを表示することにより、操作部１Ｅからある広告を選択すると、リンク情報として含まれているＵＲＬにて特定されるウェブサイトにアクセスすることができ、かかるウェブサイトの情報、例えば、さらに詳細な広告内容を表示することができる。さらに、この閲覧しているウェブサイト上において、所定の入力フォームに情報を送信することにより、アクセス先のウェブサーバに入力情報を送信することができる。
【００３７】
また、表示処理部１３にて、広告情報（簡易広告データ）に基づいてウェブサーバ４にアクセスする際には、当該広告情報に含まれる店舗ＩＤ（配信元情報）も、アクセス先となるウェブサーバ４に送信される。
【００３８】
クーポン取得処理部１４は、後述するように、ウェブサーバ４から送信されたクーポン情報を受信して、記憶装置１Ｂ内のクーポン記憶部１６に格納する。このクーポン情報には、ユーザが携帯電話１にてオンラインショッピングを利用した店舗である販売業者を特定する販売業者ＩＤが含まれている。そして、かかるクーポン情報は、表示処理部１３に表示することが可能である。
【００３９】
以上のように、携帯電話１は、図２に示すように、電子決済時に送信される店舗ＩＤを含む広告情報（簡易広告データ１５）と、販売業者ＩＤを含むクーポン情報（電子クーポンデータ１６）を、記憶装置１Ｂに格納して保持することとなる。そして、上記広告情報やクーポン情報をディスプレイ１Ｆに表示して、広告内容の閲覧や、関連付けられたウェブサイトにアクセスしたり、さらには、関連する店舗に対して提示するなど、利用することができる。
【００４０】
＜店舗装置＞
店舗装置２０は、図１や図４に示すように、店舗に設置されたＰＯＳ端末２（電子決済装置）と、広告配信サーバ３（広告記憶装置）と、から構成されている。そして、ＰＯＳ端末２には、上記携帯電話１と赤外線通信などによる近距離無線通信にてデータ通信を行うリーダライタ２Ａが接続されている。このリーダライタ２Ａを介して、携帯電話１とＰＯＳ端末２との間にて、電子決済処理に関する情報のやり取りが実現される。さらに、後述するように、ＰＯＳ端末２から携帯電話１に広告情報も配信される。但し、ＰＯＳ端末２に接続されているリーダライタ２Ａは、他の通信方式により携帯電話１とデータ通信を行うものであってもよい。
【００４１】
具体的に、ＰＯＳ端末２には、店舗における会計を行うための機能を備えている他、制御装置に所定のプログラムが組み込まれることにより、図４に示すように、電子決済処理部２１と、広告配信処理部２２と、が構築されている。電子決済処理部２１は、上述したように、リーダライタ２Ａを介して携帯電話１から電子マネーの送信を受け付けると共に、領収したことを表す情報などの電子決済情報を携帯電話１に送信する。そして、この電子決済処理部２１と協働して作動する広告配信処理部２２（広告配信手段）は、電子決済時に広告配信サーバ３に対して広告情報を要求し、これによって広告配信サーバ３から送信された広告情報を受信して、リーダライタ２Ａを介して携帯電話１に配信する。特に、広告配信処理部２２は、電子決済処理部２１による電子決済情報（例えば、領収情報）と共に、同一画面に表示される情報として広告情報（簡易広告データ）を配信する。なお、ＰＯＳ端末２は、キャッシュレジスター機能を有しておらず、電子決済機能を有するコンピュータであってもよい。
【００４２】
また、広告配信サーバ３は、ＰＯＳ端末２に接続されており、その記憶装置３Ｂ内の広告データベース３３に予め販売業者から受け付けた広告情報を蓄積している。この広告データベース３３は、制御装置３Ａに構築された広告更新処理部３２によって、ネットワークＮを介して販売業者の端末から広告情報を受信し、常時、追加や更新される。そして、制御装置３Ａには、広告送信処理部３１が構築されており、上述したＰＯＳ端末２の広告配信処理部２２からの要求に応じて広告データベース３３内から広告情報を読み出して、これをＰＯＳ端末２に送信する。このとき、ＰＯＳ端末２に送信される広告情報には、記憶装置３Ｂに記憶された店舗ＩＤ３４（配信元情報）が関連付けられて送信される。この店舗ＩＤ３４は、広告情報を配信するＰＯＳ端末２が設置されている店舗を特定する情報である。
【００４３】
ここで、広告情報についてさらに詳述する。広告情報は、複数の販売業者のものが含められていてもよい。そして、各販売業者毎の広告情報（簡易広告データ）は、上述したように電子決済情報と共に携帯電話１に表示されるため、２，３行程度の文字からなるものや、小さい画像表示による簡易的な広告である。また、広告情報には、その販売業者の広告宣伝サイトとなるウェブサイトのアドレスとなるＵＲＬ（リンク情報）が含められている。従って、携帯電話１に表示された広告情報を選択することにより、当該携帯電話１はその広告に含められているＵＲＬにアクセスして、さらに詳細な広告が表示されているウェブサイトを閲覧することができる。そして、ウェブサイトにアクセスする際には、広告情報に含められている上述した店舗ＩＤも一緒に、携帯電話１からウェブサイトに送信される。
【００４４】
なお、上記では、広告情報を管理している広告配信サーバ３は、店舗ごとにＰＯＳ端末２に接続されている場合を例示したが、これに限定されない。ネットワークＮを介してＰＯＳ端末２に接続されており、当該ＰＯＳ端末２に広告情報を提供可能であれば、いかなる場所に存在していてもよい。また、複数のＰＯＳ端末２からの要求に応じて広告情報（簡易広告データ）を配信するサーバコンピュータであってもよい。ここで、図２では、広告配信サーバ３が備える記憶装置３Ｂを簡易広告データベースとして図示する。
【００４５】
＜ウェブサーバ＞
次に、ウェブサイトを開設しているウェブサーバ４について、図５を参照して説明する。ウェブサーバ４は、ＩＳＰ事業者が管理しているサーバコンピュータであり、各販売業者のウェブサイトが開設されている。
【００４６】
そして、ウェブサーバ４のＣＰＵなどの制御装置４Ａには、所定のプログラムが組み込まれることで、サイト公開処理部４１と、店舗判別処理部４２と、広告料管理処理部４３と、オンラインショッピング処理部４４と、が構築されている。また、ハードディスクなどの記憶装置４Ｂには、サイトデータベース４５と、店舗ＩＤデータベース４６と、広告料データベース４７と、クーポンデータベース４８と、が形成されている。
【００４７】
サイト公開処理部４１は、携帯電話１や他のコンピュータからのアクセスに応じてウェブサイトを公開する。つまり、サイトデータベース４５（図２では、Ｗｅｂサイトデータベースと示す）に蓄積されているウェブサイト用コンテンツを配信する。このコンテンツは、例えば、上述した携帯電話１にＰＯＳ端末２から配信された広告情報（簡易広告データ）の内容をさらに詳細に説明する広告コンテンツである。
【００４８】
また、サイト公開処理部４１は、アクセスしてきた携帯電話１から当該アクセス時に店舗ＩＤの通知を受けると、その店舗ＩＤを店舗判別処理部４２に通知する。さらに、サイト公開処理部４１は、ウェブサイト上にてアクセスしてきた携帯電話１から商品の注文情報を受け付ける機能を有しており、かかる注文情報をオンラインショッピング処理部４４に通知する機能を有する。
【００４９】
店舗判別処理部４２（配信元店舗判別手段）は、店舗ＩＤデータベース４６に予め記憶されている店舗ＩＤと店舗との対応表（店舗特定情報）に基づいて、サイト公開処理部４１から通知を受けた店舗ＩＤに対応する店舗を判別する。つまり、携帯電話１が販売業者のウェブサイトにリンクしてきたときのリンク元となる広告情報が、どの店舗から配信されたか、ということを特定する。そして、特定した店舗名を広告料管理処理部４３とオンラインショッピング処理部４４に通知する。
【００５０】
広告料管理処理部４３（広告料集計手段）は、店舗判別処理部４２にて判別された店舗に対して支払うべき広告料を、店舗ごとに集計する。そして、広告料データベース４７に蓄積する。具体的には、リンク元となった広告情報の配信数に応じて配信元の店舗に対して多くの広告料が支払われるよう、広告料を集計する（図２に示す広告料データベース４７を参照）。この広告料データベース４７に基づいて、後に広告料の決済が行われる。なお、決済は、上記広告料データベース４７が配信元店舗に公開され、これに基づいて配信元添付が広告主である販売業者に請求する方法で行われてもよい。
【００５１】
オンラインショッピング処理部４４（注文受付手段、クーポン配信手段）は、サイト公開処理部４１から通知された注文情報を受け付けると共に、この注文情報を送信した携帯電話１に対して、広告情報を配信した店舗を特定する情報を店舗判別処理部４２から受け付ける。そして、ネットワークＮを介して商品注文管理サーバ５に通知する。
【００５２】
また、オンラインショッピング処理部４４は、予めクーポンデータベース４８内に記憶された様々な店舗のクーポン情報から、携帯電話１に対して広告情報を配信した店舗（店舗判別処理部４２にて判別された店舗）のクーポン情報を読み出して、注文した携帯電話１に対して送信する。このとき、クーポン情報には、携帯電話１のユーザにてオンラインショッピングが行われているこのウェブサイトを開設している販売業者を特定する販売業者ＩＤが含められて送信される（図２に示すクーポンデータベース４８を参照）。なお、クーポン情報を送信するタイミングは、オンラインショッピングによる受注が成立したときでもよく、あるいは、単に携帯電話１からウェブサイトにアクセスがあったときでもよい。
【００５３】
ここで、上記では、ＩＳＰ事業者内のウェブサーバ４に販売業者のウェブサイトが開設されている場合を例示したが、これに限定されず、販売業者が直接的に管理しているウェブサーバにウェブサイトが開設されていてもよい。
【００５４】
＜商品注文管理サーバ＞
商品注文管理サーバ５（注文管理サーバ）は、販売業者にて管理されたサーバコンピュータにて構成されている。そして、制御装置５Ａに所定のプログラムが組み込まれることで、注文情報受付処理部５１と、注文情報分析処理部５２と、通知処理部５３と、が構築されている。注文情報受付処理部は、ウェブサイト（上述したウェブサーバ４）を介して携帯電話１から受け付けた商品注文情報を受け取り、注文情報分析処理部５２に通知する。注文情報分析処理部５２（注文分析手段）は、注文情報と広告配信元となる店舗情報から、顧客データ、商品注文データ、携帯電話１に対する広告情報の配信元となる店舗ＩＤデータ、をそれぞれ分析して、各データをお互いに関連付けて記憶装置５Ｂ内の各記憶部５４，５５，５６に蓄積する。これにより、商品注文や売上集計等を管理することができる。なお、図２では、記憶装置５Ｂを商品注文管理データベースと示す。また、通知処理部５３は、商品の注文を受け付けた旨の情報や、発送情報、納品情報などを、ネットワークＮを介して携帯電話１に通知する。なお、この通知処理部５３は、上記ウェブサーバ４に備えられていて、注文情報をはじめに受け付けた当該ウェブサーバ４によって発送情報などの通知が携帯電話１に対して行われてもよい。
【００５５】
［動作］
次に、上記構成である広告配信システムの動作を、図７乃至図１２を参照して説明する。図７は、本システムの動作の概略を示すフローチャートである。図８は、携帯電話１の画面上様子を示す図であり、図９乃至図１２は、システム全体の動作を示すシーケンス図である。はじめに、図７を参照して、動作の概要を説明する。
【００５６】
まず、ユーザが店舗を利用すると（ステップＳ１）、携帯電話１を用いて電子マネーにて支払いを行う（ステップＳ２）。そのときに、店舗装置２０から携帯電話１に対して簡易広告が配信される（ステップＳ３）。ユーザは、電子マネーによる決済情報と共に配信された簡易広告を閲覧し、その広告サイトにアクセスして、販売業者の商品を閲覧する（ステップＳ４）。その後、気に入った商品があるとオンラインショッピングを携帯電話１にて行う（ステップＳ５）。すると、広告が配信された店舗のクーポンが携帯電話１に配信される（ステップＳ６）。そして、そのクーポンは、再度店舗にて利用され（ステップＳ１）、上記動作を繰り返すこととなる。
【００５７】
次に、図８乃至図１２を参照して、さらに動作の詳細を説明する。まず、ユーザは、店舗で利用した費用を、携帯電話１を用いて店舗側に電子マネーとして支払う（ステップＡ１）。店舗側では、電子マネーによる支払いをＰＯＳ端末２に接続されたリーダー／ライタ２Ａを介してユーザの携帯電話１から受信し、電子マネー決算処理を行う（ステップＡ２）。それと同時に、ＰＯＳ端末２は広告配信サーバ３に広告情報（簡易広告データ）を要求する（ステップＡ３）。すると、データ要求を受けた広告配信サーバ３は、広告データベース３３に格納している様々な販売業者の簡易広告と、配信元となる店舗を判別するための店舗ＩＤを関連付けて、一つのデータとし簡易広告（店舗ＩＤ）データをＰＯＳ端末２に送信する（ステップＡ４）。
【００５８】
ＰＯＳ端末２では、電子マネー処理結果と、広告配信サーバ３から受信した簡易広告（店舗ＩＤ）データをまとめて、リーダー／ライタ２Ａを介して、ユーザの携帯電話１に送信する（ステップＡ５）。すると、店舗側に電子マネーを支払ったユーザの携帯電話１の画面上には、電子マネー利用残高や電子決済結果と共に、簡易広告が表示される（ステップＡ６）。配信された簡易広告（店舗ＩＤ）データは、ユーザの携帯電話１の内部にある端末メモリ（広告記憶部１５）に簡易広告（店舗ＩＤ）データとして格納され保持することができ、ユーザはこのデータを利用することによって、何時でも簡易広告の閲覧や、当該広告からリンクされている目的の販売業者のウェブサイトへアクセスすることが可能となる（ステップＡ７）。なお、決済時に配信された簡易広告データを携帯電話１に表示したときの一例を、図８（ａ）に示す。この図に示すように、例えば、最上段に電子マネーの残高が表示され、以下に、複数の販売業者（Ａ，Ｂ，Ｃ）の数行からなる簡易広告が表示される。
【００５９】
次に、ユーザの携帯電話１で簡易広告から販売業者のウェブ広告が表示される動作と広告料金を算出するための動作を、図１０のフローチャートを参照して説明する。ユーザは、携帯電話１の端末メモリに保持された簡易広告（店舗ＩＤ）データを利用することで、上述した図８（ａ）に示す簡易広告を表示することが可能となる。従って、この簡易広告表示画面から興味のある簡易広告を選択することによって、携帯電話１は携帯電話基地局１１に接続し、ネットワークＮを介して目的の販売業者のウェブサイト（ウェブサーバ４）にアクセスすることができる。選択した簡易広告のリンク情報には、その簡易広告に関連する販売業者のウェブサイト４の接続先情報（ＵＲＬなど）やその簡易広告の配信元を示す店舗ＩＤ情報も含まれており、販売業者のウェブサイトにこれらの情報を送信し、アクセス要求を行う（ステップＡ８）。アクセス要求を受けた販売業者のウェブサイト４では、サイトデータベース４５に格納している上記簡易広告よりも詳細な内容のウェブ広告データを携帯電話１に送信する（ステップＡ９）。また、アクセスされたユーザの携帯電話１がどの店舗によって配信された簡易広告からリンクされたのか、アクセス時に送信された店舗ＩＤ情報を元に店舗判別処理部４２によって判別が可能となる（ステップＡ１０）。そして、判別した店舗に対して、広告料データベース４７内において該当する店舗ポイントデータの値を加算する（ステップＡ１１）。これにより、代理広告配信を販売業者から受け持ちした店舗は、広告料データベース４７内にある店舗ポイントデータの値を参照することで、広告主（販売業者）に対し、一回の閲覧毎に予め定められた広告料金の課金を行うことができる。あるいは、広告主（販売業者）側がポイントデータに基づいて該当する店舗に広告料を支払う。
【００６０】
そして、ウェブ広告データを受信したユーザの携帯電話１では、選択した簡易広告の詳細な内容を表示し（ステップＡ１２）、閲覧することが可能となり、その後、オンラインショッピングを行うこともできる（ステップＡ１３）。なお、詳細な広告が表示されたときの携帯電話１の画面の一例を、図８（ｂ）に示す。この図は、Ａ販売業者の簡易広告を選択した後の画面の一例である。
【００６１】
次に、ユーザの携帯電話１で販売業者のウェブサイトにアクセスして、オンラインショッピングを行うときの動作と、電子クーポンを発行する動作ついて、図１１のフローチャートを参照して説明する。ユーザの携帯電話１に表示されているウェブ広告画面（図８（ｂ）を参照）から商品を購入する場合は、商品注文の申込みを行うページにアクセスすることで（ステップＡ１４）、販売業者のウェブサイト４からオンラインショッピングに必要な情報やデータが携帯電話１に送信される（ステップＡ１５）。これにより、ユーザの携帯電話１に表示されたオンラインショッピング申込み画面（ステップＡ１６）から希望される商品の注文情報を入力し（ステップＡ１７）、商品注文データを送信することができる（ステップＡ１８）。すると、販売業者のウェブサイト４では、ユーザから送られてきた商品注文データをオンラインショッピング処理部４４で処理する（ステップＡ１９）。そして、商品注文データから、ユーザ情報、商品注文情報、配信元店舗ＩＤ情報が抽出されてネットワークＮを介して販売業者の商品注文管理サーバ５へ送信される（ステップＡ２０）。
【００６２】
商品注文管理サーバ５では、受け取った商品注文情報を分析処理し（ステップＡ２１）、商品注文管理データベース５Ｂ内に各々、顧客データ５４、商品注文データ５５、配信元店舗ＩＤデータ５６として格納する（ステップＡ２２）。これらの各データは互いに関連付けされており、顧客の購入履歴やどの店舗によって配信された簡易広告から商品購入へと結びついたのか、広告主である販売業者が電子広告による商品の購入実績を把握することが可能となり、効率よく宣伝効果を向上させることができる。
【００６３】
そして、商品の注文が成立すると販売業者のウェブサイト４では、オンラインショッピングの処理結果をユーザの携帯電話１に送信し（ステップＡ２３）、ユーザは商品の注文内容や発送日などを確認することができる（ステップＡ２４）。なお、かかる携帯電話１に対するオンラインショッピングの処理結果の送信は、商品注文管理サーバ５にて行われてもよい。
【００６４】
また、ウェブサイト４では、様々な店舗の電子クーポンデータを格納している電子クーポンデータベース４８から、店舗ＩＤ判別処理部４２で判別した（ステップＡ２５）店舗の電子クーポンデータを取り出す。このとき、発行元を判別するための販売業者ＩＤと関連付けて一つのデータとし、電子クーポン（販売業者ＩＤ）データとして販売業者のウェブサイト４を介してユーザの携帯電話１に送信する（ステップＡ２６）。送信された電子クーポン（販売業者ＩＤ）データは、ユーザの携帯電話１の内部にある端末メモリに電子クーポン（販売業者ＩＤ）データとして格納され保持することができる（ステップＡ２７）。そして、ユーザはこのデータを利用可能な店舗にて携帯電話１に表示して提示したり、ＰＯＳ端末２に送信して利用することで、該当する店舗にて多様なサービスを受けることができる（ステップＡ２８）。これにより、代理広告配信を受け持ちした店舗は、ユーザの来店機会を向上させることができる。なお、電子クーポンを発行するタイミングについては、上記実施例だとオンラインショッピング完了後となっているが、携帯電話１にて簡易広告から販売業者のウェブサイト（詳細な広告）にアクセスした時点で発行してもよい。
【００６５】
次に、電子クーポンの利用場面について、図１２のフローチャートを参照して説明する。ユーザは、携帯電話１の端末メモリに保持された電子クーポン（販売業者ＩＤ）データを表示したりして利用することで、該当する店舗の多様なサービスを受けることができる（ステップＡ２９）。ユーザが再度、店舗において電子マネーの支払いを行うことにより（ステップＡ３０）、図７に示す運用サイクルが可能となり、ユーザ、店舗、販売業者間の相乗効果を向上させることができる。
【００６６】
以上のように、ユーザが店舗にて携帯電話１を用いて電子決済を行うと、店舗に設置されたＰＯＳ端末２などの電子決済装置から簡易広告データが配信される。このように、ユーザによる携帯電話１を用いた決済時あるいはその直前直後に簡易広告データが配信されることから、電子決済情報を携帯電話１にて確認するユーザによって、広告情報が閲覧される確率が高まり、広告による宣伝効果の向上を図ることができる。
【００６７】
また、ユーザが携帯電話１にて配信された簡易広告データを選択することで、携帯電話１にて広告主のウェブサイトにアクセスすることができ、さらに詳細な広告コンテンツをユーザは閲覧することができる。従って、ユーザにとっては利便性が向上し、広告主にとっては広告宣伝効果が向上する。
【００６８】
さらに、広告が配信された配信元である店舗を、広告主が容易に認識することができる。これに伴い、アクセスしてきたユーザ数に応じて広告主が支払うべき広告料を算出することができる。従って、広告効果に見合った適切な広告料金を設定することができる。また、広告配信元店舗のクーポン情報が携帯電話１に配信されるため、ユーザによってかかる店舗の利用がさらに促進される。
【００６９】
また、広告情報を参照してアクセスしてきたユーザによるオンラインショッピング時に、広告がいかなる店舗によって配信されたものであるかを判別することができ、さらに、広告宣伝効果を分析することができる。
【産業上の利用可能性】
【００７０】
本発明は、携帯端末を用いた電子決済時に広告を配信するシステムとして、店舗のＰＯＳ端末などに設置することができ、さらには、広告を配信するネットワーク上のウェブサーバなどに利用することができ、産業上の利用可能性を有する。
【図面の簡単な説明】
【００７１】
【図１】システム全体の構成を示す図である。
【図２】システム全体の構成図に、各装置に蓄積されるデータを加えた説明図である。
【図３】携帯電話の構成を示す機能ブロック図である。
【図４】ＰＯＳ端末及び広告配信サーバからなる店舗装置の構成を示す機能ブロック図である。
【図５】販売業者のウェブサイトが開設されるウェブサーバの構成を示す機能ブロック図である。
【図６】販売業者の商品注文管理サーバの構成を示す機能ブロック図である。
【図７】システム全体の動作の概略を示すフローチャートである。
【図８】図８（ａ）は電子決済時に携帯電話に表示される画面の一例を示す図であり、図８（ｂ）は広告表示からウェブサイトにアクセスしたときの一例を示す図である。
【図９】携帯電話による電子決済時の動作を示すシーケンス図である。
【図１０】携帯電話にて広告情報からリンクされたウェブサイトにアクセスしたときの動作と、広告料金算出時の動作を示すシーケンス図である。
【図１１】携帯電話にてオンラインショッピングを行うときの動作と電子クーポンを発行する動作を示すシーケンス図である。
【図１２】電子クーポンの利用時の動作を示すフローチャートである。
【符号の説明】
【００７２】
１  携帯電話（携帯端末）
２  ＰＯＳ端末（電子決済装置）
３  広告配信サーバ（広告記憶手段）
４  ウェブサーバ
５  商品注文管理サーバ
２０  店舗装置
２Ａ  リーダライタ
【図１】
2007041663.tif 000003
【図２】
2007041663.tif 000004
【図３】
2007041663.tif 000005
【図４】
2007041663.tif 000006
【図５】
2007041663.tif 000007
【図６】
2007041663.tif 000008
【図７】
2007041663.tif 000009
【図８】
2007041663.tif 000010
【図９】
2007041663.tif 000011
【図１０】
2007041663.tif 000012
【図１１】
2007041663.tif 000013
【図１２】
2007041663.tif 000014